(57)【要約】【課題】  光センサへの水平方向からの光の入射が抑えられる自動点滅器を提供する。【解決手段】  入射光束に応じた出力を生成する光センサの出力に応じて電源から負荷への給電をオンオフする。また、光センサを収納し後面を壁面に向けて壁面に固定されるハウジング５を備える。ハウジング５は、前斜め下方からの光を光センサへ通過させる窓体５３と、ハウジング５が固定される壁面に直交する方向から見て窓体５３の少なくとも一部を覆う覆い部としてのカバー５４とを有する。光センサへの水平方向からのヘッドライト等の光の入射がカバー５４によって抑えられる。【選択図】図１
2015022930.tif 000002
【特許請求の範囲】
【請求項１】
入射光束に応じた出力を生成する光センサと、
電源から負荷への給電路に挿入され、前記光センサの出力に応じて前記電源から前記負荷への給電をオンオフする開閉回路と、
前記光センサと前記開閉回路とをそれぞれ収納し後面を壁面に向けて壁面に固定されるハウジングとを備え、
前記ハウジングは、前斜め下方からの光を前記光センサへ通過させる窓部と、前方から見て前記窓部の少なくとも一部を覆う覆い部とを有することを特徴とする自動点滅器。
【発明の詳細な説明】
【技術分野】
【０００１】
本発明は、自動点滅器に関するものである。
【背景技術】
【０００２】
従来から、受光面に入射した光束に応じた出力を生成する光センサを備え、この光センサの出力（すなわち、検出された明るさ）に応じて負荷への給電をオンオフする自動点滅器が提供されている（例えば、特許文献１参照）。
【０００３】
この種の自動点滅器は、主に屋外に配置され、負荷としての例えばポーチライトなどの照明器具のオンオフに用いられる。つまり、検出された明るさが所定の閾値を下回ったときに照明器具の点灯を開始させ、検出された明るさが上記の閾値以上となったとき、または、点灯開始から所定の保持時間が経過したときに照明器具を消灯させる。このような自動点滅器を用いれば、照明器具が常時点灯される場合よりも消費電力が低減され、且つ、手動でオンオフする手間が不要である。
【０００４】
従来は、光センサを収納したハウジングにおいて、光センサの受光面に入射する光を通過させる窓部は、水平方向に向けられていた。
【先行技術文献】
【特許文献】
【０００５】
【特許文献１】特開平８−１６７４５３号公報
【発明の概要】
【発明が解決しようとする課題】
【０００６】
屋外において、一般的にコンセントが設けられる程度（例えば、地面から３０ｃｍ程度）の高さで、窓部が上記のように水平方向に向けられていると、車のヘッドライトの光が光センサに入射してしまう可能性がある。
【０００７】
上記の自動点滅器に接続された照明器具は、通常、日没から上記の保持時間の計時が完了するまでの期間にのみ点灯され、保持時間の経過後は翌日の日没まで消灯される。しかし、保持時間の計時中に車のヘッドライトの光が光センサに入射したことでいったん照明器具が消灯されると、次に点灯したときに保持時間の計時が再度０から開始されることで、点灯時間が無駄に長くなって消費電力が増大してしまう。
【０００８】
本発明は、上記事由に鑑みて為されたものであり、その目的は、光センサへの水平方向からの光の入射が抑えられる自動点滅器を提供することにある。
【課題を解決するための手段】
【０００９】
本発明の自動点滅器は、入射光束に応じた出力を生成する光センサと、電源から負荷への給電路に挿入され、前記光センサの出力に応じて前記電源から前記負荷への給電をオンオフする開閉回路と、前記光センサと前記開閉回路とをそれぞれ収納し後面を壁面に向けて壁面に固定されるハウジングとを備え、前記ハウジングは、前斜め下方からの光を前記光センサへ通過させる窓部と、前方から見て前記窓部の少なくとも一部を覆う覆い部とを有することを特徴とする。
【発明の効果】
【００１０】
本発明によれば、前斜め下方からの光を光センサに通過させる窓部が、前方から見て少なくとも一部を覆い部によって覆われるので、覆い部が設けられない場合に比べ、光センサへの水平方向からの光の入射が抑えられる。
【図面の簡単な説明】
【００１１】
【図１】（ａ）〜（ｆ）はそれぞれ同上を示し、（ａ）は正面図、（ｂ）は下面図、（ｃ）は平面図、（ｄ）は左側面図、（ｅ）は右側面図、（ｆ）は背面図である。
【図２】同上を示す分解斜視図である。
【発明を実施するための形態】
【００１２】
本発明は、入射光束に応じた出力を生成する光センサ１と、電源から負荷への給電路に挿入され、光センサ１の出力に応じて電源から負荷への給電をオンオフする開閉回路（リレー４１）とを備える。また、本発明は、光センサ１と開閉回路（リレー４１）とをそれぞれ収納し後面を壁面に向けて壁面に固定されるハウジング５を備える。ハウジング５は、前斜め下方からの光を光センサ１へ通過させる窓部（窓体５３）と、前方から見て窓部（窓体５３）の少なくとも一部を覆う覆い部（カバー５４）とを有する。
【００１３】
以下、本発明を実施するための最良の形態について、図面を参照しながら説明する。
【００１４】
本実施形態の自動点滅器は、図２に示すように、光センサ１と、コンセント本体２と、電源接続手段としての電源プラグ３と、電源プラグ３からコンセント本体２への給電をオンオフするリレー４１とを備える。すなわち、リレー４１は、電源プラグ３に接続された電源（図示せず）から、コンセント本体２に接続された負荷（図示せず）への給電路に挿入されており、上記の電源から上記の負荷への給電をオンオフする。
【００１５】
詳しく説明すると、光センサ１は、リレー４１とともにプリント配線板４０に実装されており、下方へ向けられた受光面１０への入射光束が多いほと高い出力電圧を生成する。このような光センサ１は、例えば周知のフォトダイオードを用いて実現することができる。
【００１６】
コンセント本体２は、３個１組の栓刃挿入口２０が開口したケース２１と、導電材料からなりプリント配線板４０を介してリレー４１に電気的に接続されるとともにケース２１に収納された刃受け（図示せず）とを備える。栓刃挿入口２０には、一端を負荷に接続された電線の他端に設けられたプラグが有する栓刃（図示せず）が挿入される。また、刃受けは、栓刃挿入口２０から挿入された上記の栓刃に接触導通することで、上記の電線を介して負荷に電気的に接続される。
【００１７】
電源プラグ３は、電源が有するコンセント（図示せず）に挿入接続される一対の栓刃３１とＹ端子からなる接地端子３２とを有する周知のものである。各栓刃３１は、それぞれ、ケーブル３０とプリント配線板４０とを介してリレー４１に電気的に接続される。すなわち、リレー４１は、ケーブル３０とコンセント本体２の刃受けとの間の電気的な接続をオンオフすることで、電源から負荷への給電をオンオフする。
【００１８】
また、プリント配線板４０には、リレー４１を制御する制御回路（図示せず）が実装されている。制御回路は、光センサ１の出力電圧（以下、「検出電圧」と呼ぶ。）を所定の基準電圧と比較し、検出電圧が基準電圧を下回ったときにリレー４１をオン制御し、検出電圧が基準電圧を上回ったときにリレー４１をオフ制御する。また、制御回路は周知のタイマー回路を有しており、リレー４１をオン制御してから所定の保持時間が経過したときにもリレー４１をオフ制御する。すなわち、リレー４１と制御回路とで開閉回路が構成されている。また、プリント配線板４０には、それぞれ回転操作される摘み４２０を有して上記の基準電圧と保持時間との一方ずつの調整に用いられる２個の調整素子４２が実装されている。調整素子４２としては、可変抵抗器を用いてもよいし、ロータリースイッチを用いてもよい。さらに、本実施形態は、ねじ端子からなり接地線が接続される接地端子４３を備える。接地端子４３は、コンセント本体２が有する接地極の刃受けや、ケーブル３０に含まれる接地極の電線（つまり、電源プラグ３側の接地端子３２に電気的に接続された電線）に対し、それぞれプリント配線板４０を介して電気的に接続されている。
【００１９】
さらに、本実施形態は、図１（ａ）〜（ｆ）に示すように、コンセント本体２やプリント配線板４０を収納して壁面（図示せず）に固定されるハウジング５を備える。
【００２０】
以下、上下左右は図１（ａ）を基準とし、図１（ｅ）の左右方向を前後方向を呼ぶ。
【００２１】
ハウジング５は、ハウジング５において壁面へ向けられる面である後面を構成するベース５１と、ベース５１の前側に結合するボディ５２とを備える。ボディ５２は、コンセント本体２やプリント配線板４０が収納される空間をベース５１の前面との間に構成するボス部５２１を有する。コンセント本体２は栓刃挿入口２０を下方に向けて上記の空間内に固定され、プリント配線板４０は実装面を前方へ向け光センサ１の受光面１０を下方に向けて上記の空間内に固定される。ハウジング５に対するコンセント本体２やプリント配線板４０の固定は、例えばベース５１又はボディ５２に対するねじ止めによって達成される。ボス部５２１の下面は、前斜め下方へ向けられている。
【００２２】
また、ボス部５２１の下面には、光センサ１の下側に開口する窓穴５２２と、コンセント本体２において栓刃挿入口２０が開口した下端部が嵌め込まれるコンセント穴５２３とがそれぞれ設けられている。さらに、ハウジング５は、透光性を有する材料からなりボディ５２に結合して窓穴５２２を覆う板状の窓体５３を備える。窓体５３の材料としては例えばアクリル樹脂やガラスを用いることができる。また、窓体５３をボディ５２に結合させる手段としては、嵌合や接着といった周知の手段を用いることができる。また、窓体５３において上記の光が入射する面である下面と、コンセント本体２において栓刃挿入口２０が開口した下面と、ボス部５２１の下面とは、ほぼ同一平面上に位置する。つまり、コンセント本体２の下面と窓体５３の下面とはそれぞれ前斜め下方に向けられている。また、光センサ１の受光面１０に入射する光は、前斜め下方から窓体５３を通過する。
【００２３】
さらに、ボディ５２の右下端部には、下方と後方とに開放されたケーブル挿通切欠き５２４が設けられている。ケーブル３０は、ケーブル挿通切欠き５２４の内面とベース５１の前面との間に形成される貫通穴を通じて、ハウジング５内（ボス部５２１の後側）に導入される。また、ボディ５２の左下端部には、前後に貫通した貫通穴であって接地端子４３を前方に露出させる接地端子穴５２５が設けられている。
【００２４】
さらに、ボス部５２１の右上端部には、ボス部５２１の他の部位よりも後方へ窪んだ操作部５２６が設けられており、操作部５２６には、１個ずつの調整素子４２の摘み４２０が挿通される２個の操作穴５２７（１個のみ図示）が設けられている。すなわち、ボディ５２をベース５１から取り外すことなく、操作穴５２７を通じて操作部５２６の前面よりも前方へ突出した摘み４２０を回転操作することが可能となっている。
【００２５】
また、ベース５１の複数個所（図では５か所）には、それぞれねじ挿通穴５１１が設けられており、ベース５１は、それぞれねじ挿通穴５１１に後方から挿通されてボディ５２にねじ込まれる複数本のねじ５０（図１（ｆ）参照）により、ボディ５２に対してねじ止め固定されている。
【００２６】
さらに、ベース５１とボディ５２とには、それぞれ前後に貫通する貫通穴であって互いに連通するねじ挿通穴５１０，５２０が、長方形の頂点の配置で４個設けられている。壁面に対するハウジング５の固定は、上記のねじ挿通穴５１０，５２０に挿通されて壁面にねじ込まれるねじ（図示せず）によるねじ止めで達成することができる。さらに、ボディ５２の下端部には、それぞれ前方から見て１個ずつのねじ挿通穴５２０及びねじを２個の覆うねじカバー５５が取り付けられる。ねじカバー５５は例えば合成樹脂からなり、嵌合によってボディ５２に結合する。また、各ねじカバー５５は、上端部をボディ５２に結合させたままで下端部をボディ５２に対して回転させてねじ挿通穴５２０を開閉することができるように、ヒンジ状の構造を有する。
【００２７】
また、ハウジング５は、ボディ５２のボス部５２１に上方から被着されてボス部５２１の下面以外を覆うカバー５４を備える。カバー５４は、例えば合成樹脂からなり、ボス部５２１の前側から上側にかけてを覆う円弧形状の中央片５４１と、中央片５４１の左右両端からそれぞれ後方に突設されてボス部５２１の左右の一方ずつの面を覆う２個の側片５４２とを備える。ボディ５２に対するカバー５４の結合は、例えば、各側片５４２の左右方向の内向きの面に設けられた複数個の係合凸部５４３（図２に１個のみ図示）が、ボス部５２１の左右両面に設けられて上方に開口する係合凹部５２８に上方から導入されることで達成される。
【００２８】
カバー５４がボディ５２に取り付けられた状態では、カバー５４の下端部はボス部５２１の下面よりも下方に突出し、図１（ａ）に示すように前方から見て窓体５３の一部（上端部）を覆う。つまり、カバー５４が覆い部を構成している。
【００２９】
上記構成によれば、光センサ１への水平方向からのヘッドライト等の光の入射がカバー５４によって抑えられる。
【００３０】
なお、窓部は、上記のように別部品からなる窓体５３で構成する代わりに、２色成形によって窓部を形成してもよいし、窓体５３を省略して窓穴５２２のみで窓部を構成してもよい。
【符号の説明】
【００３１】
１  光センサ
５  ハウジング
４１  リレー（開閉回路の一部）
５３  窓体（窓部）
５４  カバー（覆い部）
【図１】
2015022930.tif 000003
【図２】
2015022930.tif 000004